(57)【要約】      （修正有）【課題】高い吸水性を持ち、肌ざわりが柔らかく、しかも耐洗濯性や乾燥性に優れたタオルを提供する。【解決手段】タオルは、セルロース系繊維、特に天然繊維である綿及びレーヨンを原料としたループが長いパイル系１とポリエステルマイクロファイバー糸すなわち極細ポリエステル繊維で繊度０．９デニール以下のものを原料としたループが短いパイル系２からなる。その混用重量比は、長いパイル糸であるセルロース系繊維が２５〜７５重量％、短いパイル糸であるポリエステルマイクロファイバーが７５〜２５重量％である。【選択図】図１
0003170003.tif 000002
【実用新案登録請求の範囲】
【請求項１】
本考案はポリエステルマイクロファイバー（極細ポリエステル繊維で繊度０．９デニール以下のもの）を組成としたパイル糸２と吸水性の高いセルロース系繊維すなわち綿及びレーヨンで構成されたパイル糸１の２つの異なったタイプの糸で構成され、かつループの長いパイル糸１とループの短いパイル２で構成されており、その混用重量比は、長いパイル糸１であるセルロース系繊維が２５〜７５重量％、短いパイル糸２であるポリエステルマイクロファイバー（極細ポリエステル繊維で繊度０．９デニール以下のもの）が７５〜２５重量％であるタオル生地。
【考案の詳細な説明】
【技術分野】
【０００１】本考案は、タオル、シーツ、カバー、バスローブ、ハンカチ、雑巾、モップなどに使用されるタオル地に関するものである。
【背景技術】
【０００２】従来のタオル地は天然繊維である綿で作られたものが殆どであった。綿は安価で手に入り易くまた古くから綿のタオルは広く日本人に愛されてきた。一方で近年技術革新が進み、吸水性の優れたセルロース系繊維のレーヨンのタオル地や綿とレーヨンが混紡された、柔らかい風合いを持ったタオル地、吸水性の高いポリエステルの異形断面糸を使ったタオル地などが開発され優れた機能商品が登場してきた。
【先行技術文献】
【特許文献】
【０００３】
【特許文献１】特開平５−１６１５５９号
【考案の概要】
本考案のタオル地はポリエステルマイクロファイバー（極細ポリエステル繊維で繊度０．９デニール以下のもの）で構成されたパイル糸２と吸水性の高いセルロース系繊維である綿及びレーヨンで構成されたパイル糸１の２つの異なったタイプの糸で構成され、かつループの長いパイル糸１とループの短いパイル糸２で構成されており、その混用重量比は、長いパイル糸であるセルロース系繊維が２５〜７５重量％、短いパイル糸であるポリエステルマイクロファイバー（極細ポリエステル繊維で繊度０．９デニール以下のもの）が７５〜２５重量％の特徴を有するタオル生地である。
【考案が解決しようとする課題】
【０００４】タオル地は、風合いが柔らかく、肌触りも良く、快適な使用感を有し、また高い吸水性があり、洗濯後も乾燥時間が短くなおかつ軽く取扱いやすいものが好まれる。
綿１００％のタオル地は、吸水性や水分の保持性が高いため洗濯後の乾燥時間がかかることに難点がある。特に梅雨の時期などは、湿気が多くなかなか乾かずカビなどが発生することもある。
また綿のタオル地は繰り返し使用し洗濯していると繊維がやせてきて、綿自身が持っている水分も少なくなりカサカサ・ゴワゴワした状態になり、特に洗顔用のタオルにとっては適しない状態となる。しかも、綿１００％のタオルは重く、水分を吸うとなおさら重量が増すことになり不便である。また、吸水性のあるポリエステルを使用したタオル地は、繊維自体の表面にある溝に水分を保持する性質を持っているが、ポリエステル自体には吸水性がないためベタ付き感がありタオル地には適していない。
【課題を解決するための手段】
【０００５】  本考案のタオル地は、パイル糸１の組成はセルロース系繊維、特に天然繊維である綿及びレーヨンを原料とした糸であり、パイル糸２の組成はポリエステルのマイクロファイバー糸（極細ポリエステル繊維で繊度０．９デニール以下のもの）で、かつ長いパイル糸１と短いパイル糸２の高低の２層で構成されており、その混用重量比は、長いパイル糸であるセルロース系繊維が２５〜７５重量％、短いパイル糸であるポリエステルマイクロファイバー（極細ポリエステル繊維で繊度０．９デニール以下のもの）が７５〜２５重量％であるタオル生地である。セルロース系繊維は、綿、レーヨン、テンセル、リヨセル、キュプラ、アセテート、ポリノジックなどがあげられる。【０００６】  具体的には長短のパイルが交互に配列され長いパイル糸１と短いパイル糸２が片面或いは両面にループの状態で表面に構成されているもの。
【考案の効果】
【０００７】本考案による効果として、ポリエステルのマイクロファイバーヤーンは繊度が０．９デニール以下であり、その糸とセルロース系の繊維と交互に糸を配列することによって吸水性が高く、軽くて柔らかい風合いを有するタオル地を得られることができる。また、地組織をポリエステル１００％にするとセルロース系繊維と比べて強い物性があるため、本考案によるタオル地は綿１００％のタオル地と比べて耐久性の優れたものとなる。また、地組織をポリエステルとセルロース系繊維の混紡にするとより優れた風合いのタオル地が得られることになる。
【図面の簡単な説明】
【０００８】
【図１】本考案の長パイル１、短パイル２を交互に織った高低の２層で構成されたタオル地織物の断面図である。
【図２】本考案の長パイル１、短パイル２を交互に織った高低の２層で構成されたタオル地織物の斜視図である。
【考案を実施するための形態】
【０００９】本考案の長パイル１と短パイル２を交互に織る場合の配列比率は１対１、２対１或いは１対２の経糸重複平織りを特徴とするものです。
【実施例】
【００１０】図１において、符号１は長パイル糸すなわちその組成はセルロース系繊維、特に天然繊維である綿及びレーヨンを原料とした糸であり、符号２は短パイル糸すなわちその組成はポリエステルのマイクロファイバー糸（極細ポリエステル繊維で繊度０．９デニール以下のもの）で構成された片面或いは両面のパイル地である。
【産業上の利用可能性】
【００１１】本考案は、優れた吸水性と速乾性と耐久性を備え、かつ柔らかい風合いとやさしい肌触りを持った、タオル（おしぼり用、洗顔用、バス用、スポーツ用など）、シーツ、カバー、バスローブ、ハンカチ、雑巾、モップなどに使用されるタオル地に関するものである。
【符号の説明】
【００１２】１．長パイル
２．短パイル
３．地組織
【図１】
0003170003.tif 000003
【図２】
0003170003.tif 000004
【手続補正書】
【提出日】平成23年6月9日(2011.6.9)
【手続補正１】
【補正対象書類名】実用新案登録請求の範囲
【補正対象項目名】全文
【補正方法】変更
【補正の内容】
【実用新案登録請求の範囲】
【請求項１】
ポリエステルマイクロファイバーすなわち極細ポリエステル繊維で繊度０．９デニール以下のものを組成としたパイル糸２と、吸水性の高いセルロース系繊維すなわち綿及びレーヨンで構成されたパイル糸１の２つの異なったタイプの糸で構成され、かつループの長いパイル糸１とループの短いパイル２で構成されており、その混用重量比は、長いパイル糸１であるセルロース系繊維が２５〜７５重量％、短いパイル糸２であるポリエステルマイクロファイバーすなわち極細ポリエステル繊維で繊度０．９デニール以下のものが７５〜２５重量％であるタオル生地からなることを特徴とするタオル。